(57)【特許請求の範囲】
【請求項１】
透視ガラス板を嵌め込み保持した額縁形の扉サッシの吊り元側の上下端に植設したヒンジ軸、反吊り元側にハンドルを設けた扉構造になり、前記ヒンジ軸を介してケース本体の前面開口部に枢設するとともに、扉サッシの吊り元側における外郭周縁形状が角形を呈したサッシ側縁とケース本体の開口部の内壁面とが一定の遊び間隙を有して隣り合う、または、一方の扉サッシの吊り元側におけるサッシ側縁と他方の扉サッシのサッシ側縁とが一定の遊び間隙を有して隣り合うショーケースの前面扉において、前記扉サッシの吊り元側における外郭周縁形状が角形を呈したサッシ側縁の前面コーナー部をＲ形状部に成形し、該Ｒ形状部の曲率中心をヒンジ軸の軸中の近傍位置に設定し、ヒンジ軸を中心に前面扉を閉位置から前方に開いた場合でも、扉サッシの側縁に形成したＲ形状部は扉閉位置のサッシ端面から側方に突き出す変位量僅少となるように構成し、扉サッシのサッシ側縁とケース本体の開口部の内壁面とが初期設定したほぼ一定の遊び間隙を有することを特徴とするショーケースの前面扉構造。
【発明の詳細な説明】
【技術分野】
【０００１】
本発明は、スーパーマーケット，コンビニエンスストアなどの店舗売場に据付けて使用するリーチイン形冷凍冷蔵ショーケースの前面に配したガラス扉を対象とするショーケースの前面扉構造に関する。
【背景技術】
【０００２】
まず、頭記したリーチイン形ショーケースを対象に、該ショーケースの本体ケースの開口部前面に配したガラス扉の従来構造を図４〜図８で説明する。
図４において、１は庫内に商品陳列棚（不図示）を装備した前面解放形のケース本体、２Ｌ，２Ｒは左右に並べてケース本体１の前面開口部に配したガラス扉、２ａは扉開閉用のハンドルである（例えば、特許文献１参照）。
【０００３】
ここで、前記ガラス扉２Ｌ，２Ｒは、図５で示すように透明ガラス板２ｂを額縁形の扉サッシ２ｃ（金属，あるいは硬質樹脂材の押出成形品）に嵌め込み保持した構造になり、前記ハンドル２ａと反対の扉吊り元側がその上下端に植設したヒンジ軸２ｄを介してケース本体１の開口端部に枢設されている。
【０００４】
また、図４に示したショーケースではガラス扉２Ｌ，２Ｒを片開き式扉とし、ハンドル２ａは扉サッシ２ｃの左側縁に、ヒンジ軸２ｄは右側縁の上下端部に設けており、該ガラス扉２Ｌ，２Ｒをケース本体１の前面開口部に枢設した状態の平面図を図６，図７に示す。なお、図４に示したショーケースでは左右のガラス扉２Ｌ，２Ｒを片開き式（右開きタイプ）としているが、特許文献１の開示構造ように左右のガラス扉２Ｌ，２Ｒを観音開き式として左右に開くようにしたものもある。
【０００５】
次に、前記ガラス扉２Ｌ，２Ｒについて、そのヒンジ側の詳細構造を図８（ａ），（ｂ）に示す。すなわち、押出成形品になる扉サッシ２ｃはその外郭周縁形状が角形を呈しており、この扉サッシ２ｃに対してヒンジ軸２ｄは図示のようにサッシの前面側コーナーに植設されている。この構造により、ヒンジ軸２ｄを中心に扉を実線で示す閉位置から前方に開くと、扉サッシ２ｃの側縁角部Ｐ（図８（ａ）参照）が図８（ｂ）の点線軌跡で表すように実線で示す扉閉位置のサッシ端面から側方のＰ’位置に突き出し変位する。なお、図中に表した符号ｇは扉サッシ２ｃの端縁と本体ケース１の側壁内面との間に初期設定した遊び間隙、ａは扉開放に伴う前記角部Ｐ’の突出し変位量を表しており、前記の遊び間隙ｇについては、扉組立精度のバラツキも考慮して７〜８mm程度に設定されている。したがって、左右に並ぶガラス扉２Ｌと２Ｒとの間には前記隙間ｇの２倍（２×ｇ）の間隔が空く（図７参照）。
【先行技術文献】
【特許文献】
【０００６】
【特許文献１】特開２００６−３３６８８４号公報（図１）
【発明の概要】
【発明が解決しようとする課題】
【０００７】
ところで、店舗の売場に据付けて使用するショーケースについて、前記した従来の扉構造では、客の不注意からガラス扉２Ｒとケース本体１の側壁との間、あるいは隣り合うガラス扉２Ｌと２Ｒの間の隙間に指先が不測に挟まれて怪我をしたり、物が挟まれたりする事例が報告されている。すなわち、ガラス扉２Ｌ，２Ｒは買い物客がハンドル２ａに手を掛けてケース前方に開放するが、この場合に連れの幼児，他の客などがガラス扉のヒンジ側に手を触れていることに気がつかないで扉を開くと、図８（ｂ）で述べたように扉サッシ２ｃの側縁角部Ｐ’が側方に突出してケース本体１の内壁との間の残余隙間が狭まるために、指先が扉サッシ２ｃとケース本体１の開口部の内壁面との間，左右に並ぶ前面との間に挟まれて思わぬ怪我をするおそれがある。
【０００８】
かかる点、前記した初期設定の間隙ｇをあらかじめ十分に広く確保しておけば不測な指つめ事故を防止できるものの、隙間ｇが大きくなるとショーケースの外観性，見栄えが損なわれる。また、扉のヒンジ側に指つめ防止用のカバーを設けたり、前記の遊び隙間ｇをクッション材で塞ぐなどの防止対策も知られているが、デザイン性，部品コストなどに課題が残る。
【０００９】
本発明は上記の点に鑑みなされたものであり、その目的はショーケースの外観性を損なうことなく、指つめが防げるように扉の外郭形状を改良した前面扉構造を提供することにある。
【課題を解決するための手段】
【００１０】
上記目的を達成するために、本発明によれば、透視ガラス板を嵌め込み保持した額縁形の扉サッシの吊り元側の上下端に植設したヒンジ軸、反吊り元側にハンドルを設けた扉構造になり、前記ヒンジ軸を介してケース本体の前面開口部に枢設するとともに、扉サッシの吊り元側における外郭周縁形状が角形を呈したサッシ側縁とケース本体の開口部の内壁面とが一定の遊び間隙を有して隣り合う、または、一方の扉サッシの吊り元側におけるサッシ側縁と他方の扉サッシのサッシ側縁とが一定の遊び間隙を有して隣り合うショーケースの前面扉において、前記扉サッシの吊り元側における外郭周縁形状が角形を呈したサッシ側縁の前面コーナー部をＲ形状部に成形し、該Ｒ形状部の曲率中心をヒンジ軸の軸中の近傍位置に設定し、ヒンジ軸を中心に前面扉を閉位置から前方に開いた場合でも、扉サッシの側縁に形成したＲ形状部は扉閉位置のサッシ端面から側方に突き出す変位量僅少となるように構成し、扉サッシのサッシ側縁とケース本体の開口部の内壁面とが初期設定したほぼ一定の遊び間隙を有することを特徴とする。
【発明の効果】
【００１２】
上記のように扉サッシに対し、その吊り元側における扉側縁の前面側角部をＲ形状に成形することにより、ヒンジ軸を支点として前面扉を開いた際に吊り元側（ヒンジ側）の側縁角部が側方に突出す変位量は従来構造の前面扉に比べて僅少となる。これより、ヒンジ側の扉側縁とケース本体の側壁との間、および隣接する前面扉の相互間に十分な残余隙間を確保して不測な指つめの怪我を有効に防ぐことができる。
【００１３】
ここで、前記Ｒ形状の曲率中心をヒンジ軸の軸中心，ないし近傍位置に設定することにより、扉開放に伴う側縁角部の突出し変位量をゼロないし僅少に抑えることができる。また、扉サッシの反吊り元側の側縁にも、吊り元側と同様なＲ形状を形成することにより、前面扉の外郭形状が左右対称となって外観性が向上するほか、製作コスト面でも扉サッシの側縁部を１種類の押出し型で製作することができる。
【図面の簡単な説明】
【００１４】
【図１】本発明の実施例による前面扉の吊り元側の要部構造図であって、（ａ）は扉サッシの上面図、（ｂ）は扉開閉に伴う側縁角部の変位を表す説明図である。
【図２】ショーケースの開口部右に配した図１に係わる前面扉の配置平面図である。
【図３】図２の前面扉およびその左側に並べて配した前面扉の配置平面図である。
【図４】ケース本体の前面開口部に２枚の前面扉を左右に配したショーケースの正面図である。
【図５】図４における前面扉の正面図である。
【図６】図４の開口部右側に配した従来の前面扉の配置平面図である。
【図７】図６の前面扉およびその左側に並べて配した前面扉の配置平面図である。
【図８】図６における前面扉の吊り元側の要部構造図であって、（ａ）は扉サッシの上面図、（ｂ）は扉開閉に伴う側縁角部の変位を表す説明図である。
【発明を実施するための形態】
【００１５】
以下、本発明の実施の形態を図１〜図３に示す実施例に基づいて説明する。なお、実施例の図中で図６〜図８に対応する部材には同じ符号を付してその説明は省略する。
図示実施例の前面扉２Ｒは図８に示した従来構造の前面扉２Ｒと基本的に同様であるが、扉の吊り元側における扉サッシ２ｃの外郭が次記のような形状に形成されている。すなわち、従来構造の扉サッシ２ｃは、図８（ａ）で示すように扉前面側の側縁コーナーが角形を呈しているのに対して、図示実施例の前面扉１の扉サッシ２ｃは前面側の側縁コーナーがＲ形状に形成され、かつ前記Ｒ形状の曲率中心はヒンジ軸２ｄの軸中の近傍に位置するように設定されている。
【００１６】
また、図示実施例では、図２，図３で示すように前面扉２Ｌ，２Ｒの反吊り元側の側縁においても、前記吊り元側の側縁と対称にＲ形状が形成されている。
上記の構成により、ヒンジ軸２ｄを中心に前面扉１を実線で示す閉位置から前方に開いた場合でも、扉サッシ２ｃの側縁に形成したＲ形状部は図１（ｂ）の点線軌跡で表すように実線で示す扉閉位置のサッシ端面から側方に突き出す変位量ｂが図８（ａ）の変位量ａに比べて僅少となり、本体ケース１の側壁内面との間に初期設定した遊び間隙ｇは扉の開閉位置に関係なく殆ど変化がない。
【００１７】
したがって、客がハンドル２ａに手を掛けて開く際に、他の人の指先が扉の吊り元側の側縁に触れていても、誤って指先が前面扉１とケース本体１の側壁との間に挟まれて怪我する指つめを安全に防ぐことができる。
【００１８】
加えて、前面扉２Ｌ，２Ｒの反吊り元側でも、吊り元側と対称に扉サッシ２ｃの側縁角部にＲ形状に形成しておくことにより、前面扉の外郭形状が左右対称となって外観性が向上するほか、製作コスト面でも扉サッシの側縁部を１種類の押出し型で製作することができる。
【符号の説明】
【００１９】
１    ショーケースのケース本体
２Ｌ，２Ｒ  前面扉
２ａ  ハンドル
２ｂ  透明ガラス板
２ｃ  扉サッシ
２ｄ  ヒンジ軸
Ｒ    Ｒ形状
【図１】
0005712565.tif 000002
【図２】
0005712565.tif 000003
【図３】
0005712565.tif 000004
【図４】
0005712565.tif 000005
【図５】
0005712565.tif 000006
【図６】
0005712565.tif 000007
【図７】
0005712565.tif 000008
【図８】
0005712565.tif 000009